(57)【要約】【課題】  使用開始済みのサブネットワークで使用されるＩＰアドレスだけでなく、構築中のサブネットワーク等の使用開始前のサブネットワークで使用予定のＩＰアドレスについても、簡易に一括管理できるＩＰアドレス管理システムを提供する。【解決手段】  オンライン情報保存手段１０２は、ネットワーク３０Ａを介して通信端末装置から受信されたＩＰアドレスの割り当て情報を、そのＩＰアドレスが用いられるサブネットワークの識別情報と関連付けてデータベース１００に保存する。オフライン情報保存手段１０４は、所定の記憶媒体に保存されているファイルから読み出されたＩＰアドレスの割り当て情報を、そのＩＰアドレスが用いられるサブネットワークの識別情報と関連付けてデータベース１００に保存する。【選択図】  図２
2008227756.tif 000002
【特許請求の範囲】
【請求項１】
複数のサブネットワークで使用される通信機器のＩＰアドレスを管理するＩＰアドレス管理システムであって、
情報記憶手段と、
ネットワークを介して通信端末装置との間で情報を送受信する情報送受信手段と、
前記情報送受信手段により前記通信端末装置から受信されたＩＰアドレスの割り当て情報を、そのＩＰアドレスが用いられるサブネットワークの識別情報と関連付けて前記情報記憶手段に保存するオンライン情報保存手段と、
所定の記憶媒体に保存されているファイルから読み出されたＩＰアドレスの割り当て情報を、そのＩＰアドレスが用いられるサブネットワークの識別情報と関連付けて前記情報記憶手段に保存するオフライン情報保存手段と、
を備えたことを特徴とするＩＰアドレス管理システム。
【請求項２】
請求項１のＩＰアドレス管理システムにおいて、
前記オフライン情報保存手段は、所定の記憶媒体内のファイルから読み出されたＩＰアドレスの割り当て情報を前記通信端末装置から受信することを特徴とするＩＰアドレス管理システム。
【請求項３】
請求項１のＩＰアドレス管理システムにおいて、
前記オフライン情報保存手段は、所定の記憶媒体内のファイルから前記ＩＰアドレスの割り当て情報を読み出すことを特徴とするＩＰアドレス管理システム。
【請求項４】
請求項１乃至３のいずれかのＩＰアドレス管理システムにおいて、
前記ＩＰアドレスの割り当て情報が書き込まれるファイルを生成して所定の記憶媒体に出力するファイル出力手段を、更に備えたことを特徴とするＩＰアドレス管理システム。
【請求項５】
請求項４のＩＰアドレス管理システムにおいて、
前記ファイル出力手段は、指定のサブネットワークについて既に登録されているＩＰアドレスの割り当て情報を出力対象のファイルに書き込むことを特徴とするＩＰアドレス管理システム。
【請求項６】
請求項１乃至３のいずれかのＩＰアドレス管理システムにおいて、
前記ＩＰアドレスの割り当て情報が書き込まれるファイルを生成して前記通信端末装置に送信するファイル送信手段を、更に備えたことを特徴とするＩＰアドレス管理システム。
【請求項７】
請求項１乃至６のいずれかのＩＰアドレス管理システムにおいて、
前記ＩＰアドレスの割り当て情報は、前記サブネットワークで使用される複数の通信機器に割り当てられるＩＰアドレスと該通信機器の識別名と該通信機器の種別情報とを含むことを特徴とするＩＰアドレス管理システム。
【請求項８】
請求項１乃至６のいずれかのＩＰアドレス管理システムにおいて、
前記ＩＰアドレスの割り当て情報は、ＩＰアドレスの割り当て範囲を指定するセグメント情報であることを特徴とするＩＰアドレス管理システム。
【請求項９】
請求項１乃至８のいずれかのＩＰアドレス管理システムにおいて、
前記ＩＰアドレスの割り当て情報は、前記サブネットワークで用いられるＩＰアドレスに対応するようにＩＰアドレス変換装置によって変換されるＩＰアドレスの割り当て情報であることを特徴とするＩＰアドレス管理システム。
【請求項１０】
請求項１乃至９のいずれかのＩＰアドレス管理システムにおいて、
前記ＩＰアドレスの割り当て情報は、前記ＩＰアドレスの使用状態を示すステータス情報を含むことを特徴とするＩＰアドレス管理システム。
【発明の詳細な説明】
【技術分野】
【０００１】
本発明は、ネットワークを介して通信するコンピュータ装置等の通信機器に割り当てられるＩＰアドレスを管理するＩＰアドレス管理システムに関するものである。
【背景技術】
【０００２】
会社等の特定のグループ内に構築されたＩＰ（Internet Protocol）ネットワークを介して通信するクライアントのコンピュータ装置、サーバ、ルータ等の通信機器には、ＩＰアドレスが割り当てられる。このＩＰアドレスは各通信機器に一意に割り当てる必要があるため、そのＩＰアドレスの管理は、ネットワークに接続される通信機器の数が多くなってくると煩雑なものとなる。上記グループ内に複数のサブネットワークがあって各サブネットワークごとにＩＰアドレスが割り当てを行う場合には、グループ全体で使用されるすべてのＩＰアドレスの情報を集めて管理する必要があるため、特に煩雑なものとなる。
【０００３】
上記ＩＰアドレスを管理するＩＰアドレス管理システムがいくつか提案されている。例えば、特許文献１には、システム管理ホスト上でマスタ定義情報（ホストのＩＰアドレス及びホスト名）を更新すると、システム管理ホストを含む被管理ホストのＩＰアドレス構成情報を更新するとともに、ネットワークに接続されたすべてのホストのＩＰアドレスの定義情報を更新するＩＰアドレス管理システムが開示されている。また、特許文献２には、ネットワーク上の通信機器で使用されている管理範囲内のＩＰアドレスの使用状況を探索し、その探索結果をファイルに保存するとともに、探索して得られたＩＰアドレスの使用状況を画面に一覧表示するアドレス管理装置が開示されている。
【特許文献１】特開平１１−０７４９０１号公報
【特許文献２】特開２００２−２２３２１２号公報
【発明の開示】
【発明が解決しようとする課題】
【０００４】
しかしながら、上記従来のＩＰアドレス管理システムやアドレス管理装置では、構築中のサブネットワーク等の使用開始前のサブネットワークについて、ＩＰアドレス構成情報やＩＰアドレスの定義情報をオンラインで更新したり、ＩＰアドレスの使用状況を探索したりすることができないため、サブネットワークのＩＰアドレスの管理が難しい。
【０００５】
本発明は以上の問題点に鑑みなされたものであり、その目的は、使用開始済みのサブネットワークで使用されるＩＰアドレスだけでなく、構築中のサブネットワーク等の使用開始前のサブネットワークで使用予定のＩＰアドレスについても、簡易に一括管理できるＩＰアドレス管理システムを提供することである。
【課題を解決するための手段】
【０００６】
本発明に係るＩＰアドレス管理システムは、情報記憶手段と、ネットワークを介して通信端末装置との間で情報を送受信する情報送受信手段と、前記情報送受信手段により前記通信端末装置から受信されたＩＰアドレスの割り当て情報を、そのＩＰアドレスが用いられるサブネットワークの識別情報と関連付けて前記情報記憶手段に保存するオンライン情報保存手段と、所定の記憶媒体に保存されているファイルから読み出されたＩＰアドレスの割り当て情報を、そのＩＰアドレスが用いられるサブネットワークの識別情報と関連付けて前記情報記憶手段に保存するオフライン情報保存手段と、を備える。
このＩＰアドレス管理システムにおいて、オンライン情報保存手段は、ネットワークを介して通信端末装置から受信されたＩＰアドレスの割り当て情報を、そのＩＰアドレスが用いられるサブネットワークの識別情報と関連付けて情報記憶手段に保存するので、ネットワークを介して通信端末装置からＩＰアドレスの割り当て情報をオンラインで登録できる。また、オフライン情報保存手段は、所定の記憶媒体に保存されているファイルから読み出されたＩＰアドレスの割り当て情報を、そのＩＰアドレスが用いられるサブネットワークの識別情報と関連付けて前記情報記憶手段に保存するので、記憶媒体に保存されたファイルを介してＩＰアドレスの割り当て情報をオフラインで登録できる。しかも、上記オンライン登録及びオフライン登録のいずれの場合であっても、登録対象のＩＰアドレスを使用するサブネットワークは、必ずしも使用開始されている必要はなく、構築中のサブネットワーク等の使用開始前のサブネットワークであってもよい。
【０００７】
前記ＩＰアドレス管理システムにおいて、前記オフライン情報保存手段は、所定の記憶媒体内のファイルから読み出されたＩＰアドレスの割り当て情報を前記通信端末装置から受信するものであってもよい。
また、前記ＩＰアドレス管理システムにおいて、前記オフライン情報保存手段は、所定の記憶媒体内のファイルから前記ＩＰアドレスの割り当て情報を読み出すものであってもよい。
また、前記ＩＰアドレス管理システムにおいて、前記ＩＰアドレスの割り当て情報が書き込まれるファイルを生成して所定の記憶媒体に出力するファイル出力手段を、更に備えてもよい。
また、前記ＩＰアドレス管理システムにおいて、前記ファイル出力手段は、指定のサブネットワークについて既に登録されているＩＰアドレスの割り当て情報を出力対象のファイルに書き込むものであってもよい。この場合、既に登録されている修正前のＩＰアドレスの割り当て情報が書き込まれているファイルを記録媒体から一旦読み出し、そのファイルに書き込まれているＩＰアドレスの割り当て情報を、最新のＩＰアドレスの割り当て状況に合わせて追加・修正・削除等することにより更新する。そして、この更新されたＩＰアドレスの割り当て情報が書き込まれたファイルを記憶媒体に保存する。
また、前記ＩＰアドレス管理システムにおいて、前記ＩＰアドレスの割り当て情報が書き込まれるファイルを生成して前記通信端末装置に送信するファイル送信手段を、更に備えてもよい。
【０００８】
前記ＩＰアドレス管理システムにおいて、前記ＩＰアドレスの割り当て情報は、前記サブネットワークで使用される複数の通信機器に割り当てられるＩＰアドレスと該通信機器の識別名と該通信機器の種別情報とを含むものであってもよい。
また、前記ＩＰアドレス管理システムにおいて、前記ＩＰアドレスの割り当て情報は、ＩＰアドレスの割り当て範囲を指定するセグメント情報であってもよい。この場合、前記セグメント情報を含むＩＰアドレス払い出し要求を受信し、そのＩＰアドレス払い出し要求に基づいて、該セグメント情報で指定された範囲内でＩＰアドレスを割り当て、そのＩＰアドレスの割り当て情報を前記情報記憶手段に保存してもよい。
また、前記ＩＰアドレス管理システムにおいて、前記ＩＰアドレスの割り当て情報は、前記サブネットワークで用いられるＩＰアドレスに対応するようにＩＰアドレス変換装置によって変換されるＩＰアドレスの割り当て情報であってもよい。
また、前記ＩＰアドレス管理システムにおいて、前記ＩＰアドレスの割り当て情報は、前記ＩＰアドレスの使用状態を示すステータス情報を含むものであってもよい。
【０００９】
また、前記ＩＰアドレス管理システムにおいて、前記情報送受信手段は、ＩＰアドレスの割り当て情報をオンラインで入力するため情報入力画面のデータを前記通信端末装置に送信するものであってもよい。この場合、前記通信端末装置に表示された情報入力画面から入力されたＩＰアドレスの割り当て情報がネットワークを介して前記通信端末装置から受信される。
また、前記ＩＰアドレス管理システムにおいて、前記情報記憶手段に記憶されているＩＰアドレスに基づいて、ネットワークに接続されている通信機器のＩＰアドレス宛に応答要求を送信し、該通信機器からの応答結果に基づいて、該情報記憶手段に記憶されているステータス情報を更新する情報更新手段を、更に備えてもよい。
また、前記ＩＰアドレス管理システムにおいて、前記ＩＰアドレスの割り当て情報は、前記サブネットワークに設けられたＤＨＣＰ（Dynamic Host Configuration Protocol）サーバから受信してもよい。
【００１０】
本発明に係るＩＰアドレス管理方法は、互いに接続される複数のサブネットワークで使用される通信機器のＩＰアドレスを管理するＩＰアドレス管理方法であって、前記サブネットワークで使用されるＩＰアドレスの割り当て情報を、ネットワークを介して通信端末装置から受信するステップと、前記通信端末装置から受信された前記ＩＰアドレスの割り当て情報を、そのＩＰアドレスが用いられるサブネットワークの識別情報と関連付けて情報記憶手段に保存するステップと、所定の記憶媒体に保存されているファイルから読み出されたＩＰアドレスの割り当て情報を、そのＩＰアドレスが用いられるサブネットワークの識別情報と関連付けて、前記情報記憶手段に保存するステップとを含む。
前記ＩＰアドレス管理方法において、所定の記憶媒体内のファイルから読み出されたＩＰアドレスの割り当て情報を前記通信端末装置から受信するステップを更に含んでもよい。
また、前記ＩＰアドレス管理方法において、所定の記憶媒体内のファイルから前記ＩＰアドレスの割り当て情報を読み出すステップを更に含んでもよい。
また、前記ＩＰアドレス管理方法において、前記ＩＰアドレスの割り当て情報が書き込まれるファイルを生成して所定の記憶媒体に出力するステップを更に含んでもよい。
また、前記ＩＰアドレス管理方法において、指定のサブネットワークについて既に登録されているＩＰアドレスの割り当て情報を出力対象のファイルに書き込むステップを更に含んでもよい。
前記ＩＰアドレス管理方法において、前記ＩＰアドレスの割り当て情報は、前記サブネットワークで使用される複数の通信機器に割り当てられるＩＰアドレスと該通信機器の識別名と該通信機器の種別情報とを含むものであってもよい。
また、前記ＩＰアドレス管理方法において、前記ＩＰアドレスの割り当て情報は、ＩＰアドレスの割り当て範囲を指定するセグメント情報であってもよい。この場合、前記セグメント情報を含むＩＰアドレス払い出し要求を受信し、そのＩＰアドレス払い出し要求に基づいて、該セグメント情報で指定された範囲内でＩＰアドレスを割り当て、そのＩＰアドレスの割り当て情報を前記情報記憶手段に保存してもよい。
また、前記ＩＰアドレス管理方法において、前記ＩＰアドレスの割り当て情報は、前記サブネットワークで用いられるＩＰアドレスに対応するようにＩＰアドレス変換装置によって変換されるＩＰアドレスの割り当て情報であってもよい。
また、前記ＩＰアドレス管理方法において、前記ＩＰアドレスの割り当て情報は、前記ＩＰアドレスの使用状態を示すステータス情報を含むものであってもよい。
また、前記ＩＰアドレス管理方法において、ＩＰアドレスの割り当て情報をオンラインで入力するため情報入力画面のデータを前記通信端末装置に送信するステップを更に含んでもよい。
また、前記ＩＰアドレス管理方法において、前記情報記憶手段に記憶されているＩＰアドレスに基づいて、ネットワークに接続されている通信機器のＩＰアドレス宛に応答要求を送信し、該通信機器からの応答結果に基づいて、該情報記憶手段に記憶されているステータス情報を更新するステップを、更に含んでもよい。
また、前記ＩＰアドレス管理方法において、前記ＩＰアドレスの割り当て情報は、前記サブネットワークに設けられたＤＨＣＰ（Dynamic Host Configuration Protocol）サーバから受信してもよい。
【００１１】
本発明に係るプログラムは、互いに接続される複数のサブネットワークで使用される通信機器のＩＰアドレスを管理するＩＰアドレス管理システムを構成するコンピュータ又はコントローラに組み込まれて実行されるプログラムであって、前記サブネットワークで使用されるＩＰアドレスの割り当て情報を、ネットワークを介して通信端末装置から受信するステップと、前記通信端末装置から受信された前記ＩＰアドレスの割り当て情報を、そのＩＰアドレスが用いられるサブネットワークの識別情報と関連付けて情報記憶手段に保存するステップと、前記サブネットワークで使用されるＩＰアドレスの割り当て情報が書き込まれたファイルを記録媒体から読み出すステップと、前記記録媒体から読み出したファイルから、前記ＩＰアドレスの割り当て情報を取り出し、そのＩＰアドレスが用いられるサブネットワークの識別情報と関連付けて、前記情報記憶手段に保存するステップとを、前記コンピュータ又はコントローラに実行させる。
前記ＩＰアドレス管理方法において、所定の記憶媒体内のファイルから読み出されたＩＰアドレスの割り当て情報を前記通信端末装置から受信するステップを、更に前記コンピュータ又はコントローラに実行させるものであってもよい。
また、前記ＩＰアドレス管理方法において、所定の記憶媒体内のファイルから前記ＩＰアドレスの割り当て情報を読み出すステップを、更に前記コンピュータ又はコントローラに実行させるものであってもよい。
また、前記ＩＰアドレス管理方法において、前記ＩＰアドレスの割り当て情報が書き込まれるファイルを生成して所定の記憶媒体に出力するステップを、更に前記コンピュータ又はコントローラに実行させるものであってもよい。
また、前記ＩＰアドレス管理方法において、指定のサブネットワークについて既に登録されているＩＰアドレスの割り当て情報を出力対象のファイルに書き込むステップを、更に前記コンピュータ又はコントローラに実行させるものであってもよい。
前記プログラムにおいて、前記ＩＰアドレスの割り当て情報は、前記サブネットワークで使用される複数の通信機器に割り当てられるＩＰアドレスと該通信機器の識別名と該通信機器の種別情報とを含むものであってもよい。
また、前記プログラムにおいて、前記ＩＰアドレスの割り当て情報は、ＩＰアドレスの割り当て範囲を指定するセグメント情報であってもよい。この場合、前記セグメント情報を含むＩＰアドレス払い出し要求を受信し、そのＩＰアドレス払い出し要求に基づいて、該セグメント情報で指定された範囲内でＩＰアドレスを割り当て、そのＩＰアドレスの割り当て情報を前記情報記憶手段に保存してもよい。
また、前記プログラムにおいて、前記ＩＰアドレスの割り当て情報は、前記サブネットワークで用いられるＩＰアドレスに対応するようにＩＰアドレス変換装置によって変換されるＩＰアドレスの割り当て情報であってもよい。
また、前記プログラムにおいて、前記ＩＰアドレスの割り当て情報は、前記ＩＰアドレスの使用状態を示すステータス情報を含むものであってもよい。
また、前記プログラムにおいて、ＩＰアドレスの割り当て情報をオンラインで入力するため情報入力画面のデータを前記通信端末装置に送信するステップを、更に前記コンピュータ又はコントローラに実行させるものであってもよい。
また、前記プログラムにおいて、前記情報記憶手段に記憶されているＩＰアドレスに基づいて、ネットワークに接続されている通信機器のＩＰアドレス宛に応答要求を送信し、該通信機器からの応答結果に基づいて、該情報記憶手段に記憶されているステータス情報を更新するステップを、更に前記コンピュータ又はコントローラに実行させるものであってもよい。
また、前記プログラムにおいて、前記ＩＰアドレスの割り当て情報は、前記サブネットワークに設けられたＤＨＣＰ（Dynamic Host Configuration Protocol）サーバから受信してもよい。
【発明の効果】
【００１２】
本発明によれば、サブネットワークで使用するＩＰアドレスの割り当て情報を、ネットワークを介して通信端末装置からオンライン登録したり、記憶媒体に保存されたファイルを介してオフライン登録したりすることができる。しかも、上記オンライン登録及びオフライン登録のいずれの場合であっても、登録対象のＩＰアドレスを使用するサブネットワークは、必ずしも使用開始されている必要はなく、構築中のサブネットワーク等の使用開始前のサブネットワークであってもよい。従って、使用開始済みのサブネットワークで使用されるＩＰアドレスだけでなく、構築中のサブネットワーク等の使用開始前のサブネットワークで使用予定のＩＰアドレスについても、簡易に一括管理できるという効果がある。
【発明を実施するための最良の形態】
【００１３】
以下、図面を参照しながら、本発明の実施形態について説明する。
図１は本発明の一実施形態に係るＩＰアドレス管理システムの概略構成の一例を示す説明図である。このＩＰアドレス管理システム１０は、ＩＰアドレス管理ＤＢ（データベース）１００を備え、全体として一つのネットワークを構成するように相互に接続された複数の拠点Ａ，Ｂ，Ｃのサブネットワーク３０Ａ，３０Ｂ，３０Ｃのうちいずれか一つに接続されている。図１の例では、サブネットワーク３０Ａに接続されている。拠点Ａサブネットワーク３０Ａと拠点Ｂ，Ｃのサブネットワーク３０Ｂ，３０Ｃとは、ルータなどの通信中継装置３１ＡＢ，３１Ｂ，３１ＡＣ，３１Ｃを介して接続されている。これらの通信中継装置は、中継するサブネットワーク間でＩＰアドレスを変換する機能を有するものであってもよい。これらの拠点間のネットワークは、例えばＩＰ−ＶＰＮ（Virtual Private Network）や広域イーサーネット（Wide-Ethernet）網で構成できる。また、図中の拠点Ｄのサブネットワーク３０Ｄは、構築中であって拠点Ａサブネットワーク３０Ａとはまだ接続されていない状態にある。この拠点Ｄのサブネットワーク３０Ｄは、構築作業が完了すると拠点Ａサブネットワーク３０Ａに接続され、各サブネットワーク３０Ａ，３０Ｂ，３０Ｃとの間で通信可能になる。また、各拠点のサブネットワーク３０Ａ，３０Ｂ，３０Ｃ，３０Ｄには、前述の通信中継装置３１ＡＢ，３１Ｂ，３１ＡＣ，３１Ｃのほか、図示しない各種サーバや、クライアントのコンピュータ装置などからなる通信端末装置２０Ａ，２０Ｂ，２０Ｃ，２０Ｄ等の通信機器が接続されている。各サブネットワークに接続されるクライアントの通信端末装置は１台でもいいし複数台でもよい。なお、拠点Ｂ，Ｃ，Ｄのサブネットワーク３０Ｂ，３０Ｃ，３０Ｄはそれらの間でも相互に直接接続するように構成してもよい。また、本実施形態では拠点が４つの場合について説明するが、本発明は拠点の数に制限されることなく適用できる。
【００１４】
図２は、上記ＩＰアドレス管理システム１０の主要な機能を示すブロック図である。ＩＰアドレス管理システム１０は、例えばＣＰＵ、メモリー（ＲＡＭ，ＲＯＭ等）、ＨＤ等の外部記憶装置、イーサーネット（登録商標）等の外部通信部等を有するコンピュータ装置で構成することができる。ＩＰアドレス管理システム１０は、例えばハードウェアであるコンピュータに基本ソフトウェア（ＯＳ：Operating System）、及びデータベースのサーバ機能や通信機能等の所定のアプリケーションプログラムが組み込まれて実行されることにより、各拠点の通信端末装置からアクセスして検索可能な情報記憶手段としてのデータベース１００、情報送受信手段１０１、オンライン情報保存手段１０２、ファイル取り出し手段１０３、オフライン情報保存手段１０４などの各機能を実現することができる。
【００１５】
なお、上記ＩＰアドレス管理システム１０は、１台のコンピュータ装置で構成してもいいし、複数のコンピュータ装置をネットワーク接続して協働して動作するように構成してもよい。
【００１６】
データベース１００は、データベース用のアプリケーションプログラムを用いて構築され、表１〜表４に示すテーブルを含むデータテーブルのほか、登録・検索用テーブルや、各サブネットワークの通信端末装置からの指令に基づいて登録・検索等の各種処理を実行するライブラリー化されたサブプログラム等が保存されている。
【００１７】
表１は、管理対象のネットワーク全体において各サブネットワークで使用されるＩＰアドレス及びそれに関連する情報が保存されたマスターテーブルである。
【００１８】
【表１】
2008227756.tif 000003
【００１９】
表１に示すように、ＩＰアドレスのマスターテーブルには、ＩＰコードで特定される１レコードごとに、ＩＰアドレスと、そのＩＰアドレスに関する、サブネットマスク、種別コード、名前、インターフェース、ＭＡＣアドレス（Media Access Control address）、拠点コード、備考、更新日、更新者、ステータス情報としての使用フラグ等のデータが保存されている。上記「名前」は、そのＩＰアドレスが割り当てられる通信機器の識別名（例えばホスト名）である。上記「使用フラグ」は、ＩＰアドレスの使用状態を示すステータス情報の識別番号である。
【００２０】
表１のＩＰアドレスのマスターテーブルは、ＩＤコードを介して、後述のセグメントのマスターテーブルとリンクされ、これにより、互いに関連するＩＰアドレスと、ＩＰアドレスが使用されるサブネットワークのセグメント情報とが関連付けられる。また、ＩＰアドレスのマスターテーブルは、種別コードを介して後述の種別のテーブルとリンクされ、ＩＰアドレスと、そのＩＰアドレスが割り当てられる通信機器の種別とが関連付けられる。また、ＩＰアドレスのマスターテーブルは、拠点コードを介して後述の拠点のテーブルとリンクされ、ＩＰアドレスと、そのＩＰアドレスが使用される拠点とが関連付けられる。
【００２１】
表２及び表３はそれぞれ通信機器の種別及び拠点のテーブルである。通信機器の種別としては、例えば、ネットワーク機器、サーバ、クライアント、プリンター、ＮＡＴ（Network Address Translation ）仮想セグメント、ＨＳＲＰ／ＶＲＲＰ、ＶＩＰ等を登録しておくことができる。ここで、種別として「ＮＡＴ仮想セグメント」が入力される通信機器は、サブネットワークの内部と外部との間でＩＰアドレスの変換をＮＡＴ装置（ＩＰアドレス変換装置）であり、ルータが兼用する場合が多い。なお、本実施形態のＩＰアドレス管理システムは、ＮＡＴ装置で変換される内・外部のＩＰアドレスの入力や閲覧を通信端末装置から受け付けるようにしてもよい。例えば、通信端末装置からＩＰアドレス管理システムにアクセスしてＮＡＴ情報入力画面を表示し、そのＮＡＴ情報入力画面上で、登録対象のサブネットワークについてＮＡＴ装置で相互に変換される内部のＩＰアドレスと外部のＩＰアドレスとを入力する。ＩＰアドレス管理システムは、入力された内部のＩＰアドレスと外部のＩＰアドレスとを通信端末装置から受信し、互いに関連付けてデータベース１００に保存する。そして、通信端末装置から所定のメニュー画面のボタンが押下され、ＩＰアドレス変換情報の閲覧要求を受信したら、ＩＰアドレス管理システムは、指定のサブネットワークについて変換前後の内部のＩＰアドレス及び外部のＩＰアドレスの一覧情報を通信端末装置に送信する。
【００２２】
【表２】
2008227756.tif 000004
【００２３】
【表３】
2008227756.tif 000005
【００２４】
表４は、管理対象のネットワーク全体において各サブネットワークが割り当てたＩＰアドレスのセグメント及びそれに関連する情報が保存されたマスターテーブルである。
【００２５】
【表４】
2008227756.tif 000006
【００２６】
上記情報送受信手段１０１の機能は、例えばＷｅｂサーバのプログラムをコンピュータで実行することにより実現される。この情報送受信手段１０１は、例えば、クライアントの通信端末装置のブラウザからネットワークを介してＩＰアドレス管理のメニュー画面を要求するメニュー画面要求を受信し、そのメニュー画面要求に応じて、例えば図３に示すようなメニュー画面のデータをクライアントの通信端末装置に送信する。
【００２７】
図３のメニュー画面で「ＩＰアドレス検索」５０１がクリックされて選択された場合、情報送受信手段１０１は、例えば拠点Ａ，Ｂ，Ｃのクライアントの通信端末装置２０Ａ，２０Ｂ，２０ＣのいずれかのＷｅｂブラウザからネットワークを介してＩＰアドレス検索画面を要求する検索画面要求を受信し、その検索画面要求に応じて、例えば図４に示すようなＩＰアドレス検索画面のデータをクライアントの通信端末装置に送信する。図４のＩＰアドレス検索画面で検索条件が入力され「検索」ボタン５１０が選択されると、情報送受信手段１０１は、クライアントの通信端末装置のブラウザからネットワークを介して指定の検索条件で検索されたＩＰアドレス一覧（検索結果）を要求する検索要求を受信し、その検索要求に応じて、例えば図５に示すような検索結果のＩＰアドレス一覧画面のデータをクライアントの通信端末装置に送信する。
【００２８】
図３のメニュー画面で「セグメント検索」５０２がクリックされて選択された場合、情報送受信手段１０１は、例えば拠点Ａ，Ｂ，Ｃのクライアントの通信端末装置２０Ａ，２０Ｂ，２０ＣのいずれかのＷｅｂブラウザからネットワークを介してセグメント検索画面を要求する検索画面要求を受信し、その検索画面要求に応じて、例えば図６に示すようなセグメント検索画面のデータをクライアントの通信端末装置に送信する。図６のセグメント検索画面で検索条件が入力され「検索」ボタン５２０が選択されると、情報送受信手段１０１は、クライアントの通信端末装置のブラウザからネットワークを介して指定の検索条件で検索されたセグメント一覧（検索結果）を要求する検索要求を受信し、その検索要求に応じて、例えば図７に示すような検索結果のセグメント一覧画面のデータをクライアントの通信端末装置に送信する。なお、図７のセグメント一覧画面で各セグメントの「ＩＰ表示ボタン」の欄の「クエリ送信」のボタン５３０がクリックされると、当該セグメントについて割り当て済みのＩＰアドレスの一覧画面を要求する画面要求が、情報送受信手段１０１は、その画面要求に応じて、当該セグメントについて割り当て済みのＩＰアドレスの一覧画面のデータをクライアントの通信端末装置に送信する。
【００２９】
図３のメニュー画面で「セグメント追加」５０３がクリックされて選択された場合、情報送受信手段１０１は、例えば拠点Ａ，Ｂ，Ｃのクライアントの通信端末装置２０Ａ，２０Ｂ，２０ＣのいずれかのＷｅｂブラウザからネットワークを介してセグメント追加の画面を要求する画面要求を受信し、その画面要求に応じて、例えば図８に示すようなセグメントをオンラインで追加するためのセグメント追加画面のデータをクライアントの通信端末装置に送信する。図８のセグメント追加画面で各項目のデータが入力された後、「追加」のボタン５４０がクリックされると、情報送受信手段１０１は、当該セグメントの各項目のデータを通信端末装置から受信し、後述のオンライン情報保存手段１０２に渡す。
【００３０】
図３のメニュー画面で「ＩＰアドレス登録内容一括変更」５０４がクリックされて選択された場合、情報送受信手段１０１は、例えば拠点Ａ，Ｂ，Ｃのクライアントの通信端末装置２０Ａ，２０Ｂ，２０ＣのいずれかのＷｅｂブラウザからネットワークを介してＩＰアドレス登録内容一括変更の画面を要求する画面要求を受信し、そのセグメント画面要求に応じて、例えば図９に示すようなＩＰアドレス登録内容一括変更の画面のデータをクライアントの通信端末装置に送信する。
【００３１】
図９のＩＰアドレス登録内容一括変更の画面で、「ファイル・エクスポート」のボタン５５０がクリックされると、通信端末装置は、例えば図１０に示すような追加編集した指定範囲のＩＰアドレス一覧のデータが書き込まれた所定形式のファイル（例えば、追加・編集が容易なｘｌｓファイル）を、データベース１００への取り込みが容易な所定形式のファイル（例えばｃｓｖファイル）に変換し、その変換後のファイルを所定フォルダーに保存する。
【００３２】
図９のＩＰアドレス登録内容一括変更の画面で、「ファイル・エクスポート」のボタン５５０がクリックされると、通信端末装置は、例えば図１０に示すような割り当て済み又は未割り当ての指定範囲のＩＰアドレス一覧のデータが書き込まれた所定形式のファイル（例えば、追加・編集が容易なｘｌｓファイル）を、データベース１００への取り込みが容易な所定形式のファイル（例えばｃｓｖファイル）に変換し、その変換後のファイルを所定フォルダーに保存する。なお、図１０の一覧表の「更新」の欄は、そのＩＰアドレスに関する種別、名前、インターフェース、ＭＡＣアドレス、備考のいずれかの情報が追加・変更を識別するためのデータを入力する欄である。この欄には、例えば、上記情報が追加又は変更になっている場合は「○」が入力され、上記情報が追加も変更もなされていない場合は「×」が入力される。この「更新」の欄のデータは、図１０の一覧情報をデータベース１００へインポートする際に利用することができる。
【００３３】
図９のＩＰアドレス登録内容一括変更の画面で、前記図１０のデータが書き込まれたファイルを指定して「ファイル・インポート」のボタン５６０がクリックされると、後述のファイル取り出し手段１０３により指定の記録媒体のフォルダーから前記指定のファイル（例えばｃｓｖファイル）が取り出され、後述のオフライン情報保存手段１０４により前記ファイルから読み出したＩＰアドレスの割り当て情報がデータベース１００に保存される。
【００３４】
上記オンライン情報保存手段１０２は、例えばデータベース１００を管理するデータベースサーバのプログラムをコンピュータで実行することにより実現される。このオンライン情報保存手段１０２は、前述の情報送受信手段１０１が拠点Ａ，Ｂ，Ｃのクライアントの通信端末装置２０Ａ，２０Ｂ，２０Ｃのいずれかから、追加対象のセグメントの各項目の情報をＩＰアドレスの割り当て情報として受信したときに、それらの追加セグメントの情報を情報送受信手段１０１から受け取る。そして、オンライン情報保存手段１０２は、情報送受信手段１０１から受け取った追加セグメントの情報をサブネットワークの識別情報としての拠点情報（拠点コード）と関連付けてデータベース１００に保存する。
【００３５】
上記ファイル取り出し手段１０３は、例えば前述の記録媒体（例えば、ＨＤ、ＦＤ、光ディスク、メモリーカード）に保存されているファイルの取り出し処理等を行う各種ドライバーのプログラム等をコンピュータで実行することにより実現される。上記記録媒体が、通信端末装置に着脱可能な記録媒体（例えば、ＦＤ、光ディスク、メモリーカード）である場合は、ファイル取り出し手段１０３には、その記録媒体が装着されるドライブ装置が含まれる。ファイル取り出し手段１０３は、前述の図９のＩＰアドレス登録内容一括変更の画面で、前記図１０のデータが書き込まれたファイル（例えばｃｓｖファイル）を指定して「ファイル・インポート」のボタン５６０がクリックされたときに、指定の記録媒体のフォルダーから前記指定のファイル（例えば、ｃｓｖファイル）を取り出し、オフライン情報保存手段１０４に渡す。
【００３６】
上記オフライン情報保存手段１０４は、例えばデータベース１００を管理するデータベースサーバのプログラムをコンピュータで実行することにより実現される。オフライン情報保存手段１０４は、例えば図９のＩＰアドレス登録内容一括変更の画面でファイルを指定して「ファイル・インポート」のボタン５６０がクリックされたときに、ファイル取り出し手段１０３で取り出されたファイルから、前記図１０で例示したＩＰアドレスの割り当て情報を読み出してデータベース１００に保存する。
【００３７】
図１１は、ある拠点においてＩＰアドレスの割り当て情報をファイルから読み出してデータベース１００に取り込む処理の一例を示すフローチャートである。図１１の処理例において、まず、当該拠点のサブネットワークの管理担当者は、そのサブネットワークで用いるＩＰアドレスのセグメントの払い出し及び使用状況の確認を全体管理者に依頼する（Ｓ１）。次に、未使用のセグメントについて当該サブネットワークにある通信機器についてＩＰアドレスの割り当て（払い出し）を行い、前述の図１０に示す各項目の情報を編集用のファイル（例えばｘｌｓファイル）に入力する（Ｓ２）。次に、当該セグメントの登録が初回の場合（Ｓ３でＹｅｓ）は、上記払い出したＩＰアドレスの全てについて「更新」の欄を「○」にし、前述の図９の画面で「ファイル・エクスポート」のボタン５５０をクリックして選択することにより、データベース取り込み用の所定形式のファイル（例えばｃｓｖファイル）に出力する（Ｓ４，Ｓ５）。一方、当該セグメントの登録が初回でない場合（Ｓ３でＮｏ）は、上記ＩＰアドレスのうち登録情報を更新したＩＰアドレスについてのみ「更新」の欄を「○」にし、前述の図９の画面で「ファイル・エクスポート」を実行する（Ｓ６，Ｓ５）。
【００３８】
次に、上記データベース取り込み用のファイルへの出力が正常に終了したら（Ｓ７でＹｅｓ）、前述の図９の画面で「ファイル・インポート」のボタン５６０をクリックして選択することにより、データベース取り込み用のファイル（例えばｃｓｖファイル）からＩＰアドレスの割り当て情報を読み出してＩＰアドレス管理システム１０に送信する（Ｓ８）。これにより、上記ＩＰアドレスの割り当て情報が、その拠点の識別情報に関連付けてデータベース１００に取り込まれる。一方、上記データベース取り込み用のファイルへの出力が正常に終了しなかった場合（Ｓ７でＮｏ）は、全体管理者に報告して調査を依頼し、処理を中止する（Ｓ９，Ｓ１０）。上記ＩＰアドレスの割り当て情報の取り込みが正常に行われなかった場合（Ｓ１１でＮｏ）も、全体管理者に報告して調査を依頼し、処理を中止する（Ｓ９，Ｓ１０）。
【００３９】
次に、上記ＩＰアドレスの割り当て情報の取り込みが正常に行われた場合（Ｓ１１でＹｅｓ）は、取り込んだＩＰアドレスの割り当て情報の各項目のデータを確認し、そのデータに間違いが無い場合（Ｓ１２でＹｅｓ）は、処理を終了する。一方、取り込んだＩＰアドレスの割り当て情報の各項目のデータのいずれかに間違いがあった場合（Ｓ１２でＮｏ）は、ＩＰアドレス管理システム１０側に修正を依頼して終了する（Ｓ１３でＹｅｓ、Ｓ１４）。ＩＰアドレス管理システム１０側に修正できない場合（Ｓ１３でＮｏ）には、前述の編集用ファイル（例えばｘｌｓファイル）のデータを修正して前述のＳ６から繰り返す（Ｓ１５）。
【００４０】
図１２は、ある拠点のサブネットワークにおいてＩＰアドレスの払い出しの依頼を受けたときの処理の一例を示すフローチャートである。図１２の処理例において、まず、当該サブネットワークの管理担当者がＩＰアドレスの払い出しの依頼を受けると、依頼内容でセグメントが指定されているか否かを判断する（Ｓ１，Ｓ２）。セグメントが指定されている場合（Ｓ２でＹｅｓ）には、ＩＰアドレスを検索し、ステータス情報が「未使用」のＩＰアドレスを選択する（Ｓ３，Ｓ４）。一方、セグメントが指定されていない場合（Ｓ２でＮｏ）には、セグメントを検索し、ステータス情報が「未使用」のセグメントについてＩＰアドレスを選択する（Ｓ５，Ｓ４）。次に、上記選択したＩＰアドレスについてＰｉｎｇ送信を行うことにより、当該ＩＰアドレスが実際に使用されていないかどうかを確認し、Ｐｉｎｇ応答がなく未使用であることを再確認できた場合（Ｓ６でＹｅｓ）には、当該ＩＰアドレスについて通信機器の識別名等の情報を入力するとともにステータス情報を「使用中」に変更し（Ｓ８）、前記依頼者へ当該ＩＰアドレスを払い出す（Ｓ９）。一方、Ｐｉｎｇ応答があって使用されていた場合（Ｓ６でＮｏ）には、ステータス情報が「未使用」になっている別のＩＰアドレスを選択し、上記Ｐｉｎｇ送信による確認を繰り返す（Ｓ７，Ｓ６）。
【００４１】
図１３は、ある拠点のサブネットワークにおいて払い出し済みのＩＰアドレスの返却依頼があったときの処理の一例を示すフローチャートである。図１３の処理例において、まず、当該サブネットワークの管理担当者が、払い出し済みのＩＰアドレスの返却依頼の連絡を受ける（Ｓ１）と、管理しているＩＰアドレスについて、Ｐｉｎｇ送信を行うことにより、当該ＩＰアドレスが実際に使用されていないかどうかを確認する（Ｓ２）。ここで、Ｐｉｎｇ応答がなく未使用であることを再確認できた場合（Ｓ２でＹｅｓ）には、当該ＩＰアドレスについてステータス情報を「未使用」に変更し（Ｓ３）、前記依頼者へ当該ＩＰアドレスの割り当てを削除した旨を連絡する（Ｓ４）。一方、Ｐｉｎｇ応答があって使用されていた場合（Ｓ２でＮｏ）には、その使用中のユーザに確認して上記Ｐｉｎｇ送信による確認を繰り返す（Ｓ５，Ｓ２）。
【００４２】
図１４は、上記ＩＰアドレス管理システム１０に対する閲覧権限があるサブネットワークＡの管理担当者（以下、「管理担当者Ａ」という。）と、閲覧権限がないサブネットワークＤの管理担当者（以下、「管理担当者Ｄ」という。）とが連携してサブネットワークＤのＩＰアドレスを新規に払い出すときの処理の一例を示すフローチャートである。図１４の処理例において、まず、管理担当者ＡがＩＰアドレス管理システム１０にアクセスしてセグメントの払い出し処理を行うとともに前述のＩＰアドレスの割り当てを行うための編集用のファイル（例えばｘｌｓファイル）を準備し（Ｓ１）、準備した編集用のファイルを管理担当者Ｄに貸し出す。次に、管理担当者Ｄは、指定のセグメントに基づいてサブネットワークＤで使用するＩＰアドレスを選択して払い出し、そのＩＰアドレスの割り当て情報を編集用のファイルに入力し、各ＩＰアドレスの「更新」の欄をすべて「○」にし（Ｓ２）、編集後のファイルを管理担当者Ａに返却する。次に、管理担当者Ａは、ＩＰアドレス管理システム１０にアクセスし、管理担当者Ｄから受けた編集用ファイルをデータベース取り込み用のファイル（例えばｃｓｖファイル）に変換した後、ファイルから読み出したＩＰアドレスの割り当て情報をデータベース１００に取り込む（Ｓ３）。
【００４３】
図１５は、上記ＩＰアドレス管理システム１０に対する閲覧権限があるサブネットワークＡの管理担当者Ａと、閲覧権限がないサブネットワークＤの管理担当者Ｄとが連携してサブネットワークＤで使用しているＩＰアドレスに追加・変更が発生したときの処理の一例を示すフローチャートである。図１５の処理例において、まず、管理担当者ＡがＩＰアドレス管理システム１０にアクセスしてサブネットワークＤに割り当てられているＩＰアドレスの割り当て情報が書き込まれている編集用のファイル（例えばｘｌｓファイル）を出力し（Ｓ１）、出力した編集用のファイルを管理担当者Ｄに貸し出す。次に、管理担当者Ｄは、追加・変更があった箇所のデータを編集用のファイルに入力し、追加・変更があったＩＰアドレスについてのみ「更新」の欄を「○」にし（Ｓ２）、編集後のファイルを管理担当者Ａに返却する。次に、管理担当者Ａは、ＩＰアドレス管理システム１０にアクセスし、管理担当者Ｄから受けた編集用ファイルをデータベース取り込み用のファイル（例えばｃｓｖファイル）に変換した後、ファイルから読み出したＩＰアドレスの割り当て情報をデータベース１００に取り込む（Ｓ３）。
【００４４】
以上、本実施形態によれば、全体として一つのネットワークを構成するように相互通信可能に接続されるサブネットワーク３０Ａ〜３０Ｄのうち、使用開始済みのサブネットワーク３０Ａ〜３０Ｃについては、そのサブネットワークで使用される複数の通信機器に対するＩＰアドレスの割り当て情報を、通信端末装置２０Ａ〜２０Ｃからネットワークを介してオンラインで受信して取得し、そのサブネットワークの識別情報と関連付けてデータベース１００に保存して登録することができる。構築中のサブネットワーク等の使用開始前のサブネットワーク３０Ｄで使用予定のＩＰアドレスの割り当て情報については、使用開始済みの他のサブネットワーク３０Ａ〜３０Ｃの通信端末装置から受信してもよい。また、構築中のサブネットワーク等の使用開始前のサブネットワーク３０Ｄを含むすべてのサブネットワーク３０Ａ〜３０Ｄについては、各サブネットワークで使用される複数の通信機器に対するＩＰアドレスの割り当て情報が書き込まれたファイルを記録媒体（例えば、ＨＤ、ＦＤ、光ディスク、メモリーカード）から取り出し、そのファイルからＩＰアドレスの割り当て情報を読み出してオフラインで取得し、サブネットワークの識別情報と関連付けてデータベース１００に保存することもできる。このようにＩＰアドレスの割り当て情報をオンライン及びオフラインで取得し、そのサブネットワークの識別情報と関連付けて同じデータベース１００に保存して登録することができる。しかも、上記オンライン登録及びオフライン登録のいずれの場合であっても、登録対象のＩＰアドレスを使用するサブネットワークは、必ずしも使用開始されている必要はなく、構築中のサブネットワーク等の使用開始前のサブネットワークであってもよい。従って、使用開始済みのサブネットワーク３０Ａ〜３０Ｃで使用されるＩＰアドレスだけでなく、構築中のサブネットワーク等の使用開始前のサブネットワーク３０Ｄで使用予定のＩＰアドレスについても、データベース１００で一括管理できる。
【００４５】
特に、前記オンライン登録では、各サブネットワーク３０Ａ〜３０Ｄにおける簡易な情報変更・追加等の場合に、通信端末装置の情報入力画面からネットワークを介してＩＰアドレス管理システム１０のデータベース１００に直接行われるので、ＩＰアドレスの割り当て情報の変更等の簡易性・情報反映の即時性などの点で優れている。
【００４６】
また、前記オフライン登録では、構築中のサブネットワーク等、一度に大量の情報の追加・更新が必要な場合に、ファイル上で作成された情報を一斉にＩＰアドレス管理システム１０のデータベース１００に反映できる点が優れている。また、前記オフライン登録では、サブネットワークの管理者や構築者がネットワークを介してＩＰアドレス管理システム１０にアクセスできなかったりＩＰアドレスの割り当て情報を登録する権限を有していなかったりした場合でも、記録媒体に保存されたファイルを介してＩＰアドレスの割り当て情報をデータベース１００に保存して登録できる。この場合、サブネットワークの管理者や構築者は、登録対象のＩＰアドレスの割り当て情報をファイルに書き込む。このファイルは、所定の記録媒体（例えば、ＨＤ、ＦＤ、光ディスク、メモリーカード）に保存される。そして、ＩＰアドレス管理システム１０にアクセスできる所定の管理者やオペレータが、上記記録媒体からファイルを読み出し、そのファイルから読み出されたＩＰアドレスの割り当て情報を、そのＩＰアドレスが用いられるサブネットワークの識別情報と関連付けてデータベース１００に登録する処理を行う。
【００４７】
また、本実施形態によれば、上記オフラインによるＩＰアドレス割り当て情報の取得及び保存においては、上記ＩＰアドレス管理システム１０へのアクセスを行うことなく、上記ファイル上にてＩＰアドレス割り当て情報の追加変更等の編集を行なうことができることにより、複数項目、件数の編集が１画面上で可能となったり、複数の管理者が同時に編集することが可能となったり、作業効率を上げることができる。また、上記記憶媒体に保存されたファイル上にて、開発請負会社等、上記ＩＰアドレス管理システム１０へのアクセス権限を有しない者による編集が可能となるため、アクセス権限を有する者の再編集が不要となり、入力ミスや管理業務の効率化を図ることができる。
【００４８】
以上、本発明の好ましい実施形態を説明したが、特許請求の範囲に記載された技術的事項の範囲内において、開示した実施形態に種々の変更を加えることができる。例えば、上記ＩＰアドレスの割当て情報をファイルに書き込んだりファイルから読み出したりする処理は、ＩＰアドレス管理装置側で実行してもよいし、通信端末装置側で実行してもよい。
また、前記データベース１００に記憶されているＩＰアドレスに基づいて、サブネットワーク３０Ａ〜３０Ｃに接続されている通信機器のＩＰアドレス宛にＰｉｎｇ等の応答要求を送信し、その通信機器からの応答結果に基づいて、データベース１００に記憶されているステータス情報を更新してもよい。また、前記ＩＰアドレスの割り当て情報は、各サブネットワーク３０Ａ〜３０Ｃに設けられたＤＨＣＰ（Dynamic Host Configuration Protocol）サーバから所定のタイミングで受信するようにしてもよい。
【図面の簡単な説明】
【００４９】
【図１】本発明の一実施形態に係るＩＰアドレス管理システムの概略構成の一例を示す説明図。
【図２】ＩＰアドレス管理システムの主要な機能を示すブロック図。
【図３】ＩＰアドレス管理のメニュー画面の一例を示す説明図。
【図４】ＩＰアドレス検索画面での一例を示す説明図。
【図５】ＩＰアドレス検索結果の画面の一例を示す説明図。
【図６】セグメント検索画面の一例を示す説明図。
【図７】セグメント検索結果の画面の一例を示す説明図。
【図８】セグメント追加画面の一例を示す説明図。
【図９】ＩＰアドレス登録内容一括変更の画面の一例を示す説明図。
【図１０】編集用ファイルのＩＰアドレス一覧を示す説明図。
【図１１】ＩＰアドレスの割り当て情報の取り込み処理の一例を示すフローチャート。
【図１２】ＩＰアドレスの払い出しの依頼を受けたときの処理の一例を示すフローチャート。
【図１３】払い出し済みのＩＰアドレスの返却依頼があったときの処理の一例を示すフローチャート。
【図１４】ＩＰアドレス管理システム１０に対する閲覧権限があるサブネットワークＡの管理担当者Ａと、閲覧権限がないサブネットワークＤの管理担当者Ｄとが連携してサブネットワークＤのＩＰアドレスを新規に払い出すときの処理の一例を示すフローチャート。
【図１５】ＩＰアドレス管理システム１０に対する閲覧権限があるサブネットワークＡの管理担当者Ａと、閲覧権限がないサブネットワークＤの管理担当者Ｄとが連携してサブネットワークＤで使用しているＩＰアドレスに追加・変更が発生したときの処理の一例を示すフローチャート。
【符号の説明】
【００５０】
１０    ＩＰアドレス管理システム
２０    通信端末装置
３０Ａ〜３０Ｄ    サブネットワーク
１００  データベース
【図１】
2008227756.tif 000007
【図２】
2008227756.tif 000008
【図３】
2008227756.tif 000009
【図４】
2008227756.tif 000010
【図５】
2008227756.tif 000011
【図６】
2008227756.tif 000012
【図７】
2008227756.tif 000013
【図８】
2008227756.tif 000014
【図９】
2008227756.tif 000015
【図１０】
2008227756.tif 000016
【図１１】
2008227756.tif 000017
【図１２】
2008227756.tif 000018
【図１３】
2008227756.tif 000019
【図１４】
2008227756.tif 000020
【図１５】
2008227756.tif 000021